(57)【要約】
【課題】窪み部の特別な形状及び排列方式にすることにより支持効果を向上する組立式床を提供する。　
【解決手段】平面状の上部プレート（１１）及び下部に矩形の底部フレーム（１３）を有する下部プレート（１２）からなる組立式床（１０）であって、前記下部プレート（１２）の底面に所定の間隔で複数の窪み部（２０）が形成され、その四辺の中央における二つの窪み部（２０）の中央に平面部（２２）が設けられると共に、該平面部（２２）は上部プレート（１１）の底面と連結され、組立式床（１０）の中央底面における四つの窪み部（２０）は連結部（２１）によって上部プレート（１１）に連結されることを特徴とする。
【選択図】　図１
0003099424.tif 000002
【実用新案登録請求の範囲】
【請求項１】
平面状の上部プレート（１１）及び下部に矩形の底部フレーム（１３）を有する下部プレート（１２）からなる組立式床（１０）であって、
前記下部プレート（１２）の底面に所定の間隔で複数の窪み部（２０）が形成され、その四辺の中央における二つの窪み部（２０）の中央に平面部（２２）が設けられると共に、該平面部（２２）は上部プレート（１１）の底面と連結され、組立式床（１０）の中央底面における四つの窪み部（２０）は連結部（２１）によって上部プレート（１１）に連結されることを特徴とする組立式床。
【請求項２】
前記下部プレート（１２）に、その中央における窪み部（２０）から下部プレート（１２）の四つ角へ向かって伸びるようにリブ（２３）が設けられることを特徴とする請求項１に記載の組立式床。
【請求項３】
前記底部フレーム（１３）の外周縁（１４）に波状部が設けられることを特徴とする請求項１又は２に記載の組立式床。
【考案の詳細な説明】
【技術分野】
【０００１】
本考案は、特に窪み部を特別な形状及び排列方式にすることにより支持効果を向上させる組立式床に関するものである。
【背景技術】
【０００２】
従来の組立式床はその内部に各種配線を敷設するために、所定の高さで直接に地面に支持されるように構成するので、組立式床自身の構造強度を強化させて、重量による変形することを防止する必要がある。
【０００３】
図９に示すように、従来の組立式床は上部プレート（符号なし）と下部プレート（４０）からなる中空状の床材であり、下部プレート（４０）は突出の底面（４１）を有すると共に、底面（４１）に円形を成す複数の窪み部（４２）が形成される。
【考案の開示】
【考案が解決しようとする課題】
【０００４】
しかしながら、従来の組立式床の下部プレート（４０）に形成される窪み部（４２）は夫々独立すると共に、内部へ湾曲する円形を成すので、組立式床の上部に荷重がかかると、組立式床の自身支持強度の不足により、組立式床が変形してしまうという問題がある。
【０００５】
そこで、案出されたのが本考案であって、窪み部の特別な形状及び排列方式にすることにより支持効果を向上する組立式床を提供することを目的としている。
【課題を解決するための手段】
【０００６】
本願の請求項１の考案は、平面状の上部プレート（１１）及び下部に矩形の底部フレーム（１３）を有する下部プレート（１２）からなる組立式床（１０）であって、前記下部プレート（１２）の底面に所定の間隔で複数の窪み部（２０）が形成され、その四辺の中央における二つの窪み部（２０）の中央に平面部（２２）が設けられると共に、該平面部（２２）は上部プレート（１１）の底面と連結され、組立式床（１０）の中央底面における四つの窪み部（２０）は連結部（２１）によって上部プレート（１１）に連結されることを特徴とする組立式床及び、
本願の請求項２の考案は、前記下部プレート（１２）に、その中央における窪み部（２０）から下部プレート（１２）の四つ角へ向かって伸びるようにリブ（２３）が設けられることを特徴とする請求項１に記載の組立式床及び、
本願の請求項３の考案は、前記底部フレーム（１３）の外周縁（１４）に波状部が設けられることを特徴とする請求項１又は２に記載の組立式床、
を提供する。
【考案の効果】
【０００７】
　本考案は上記の構成を有するので、平面状の上部プレート及び下部プレートとを有し、下部プレートの底面に所定の間隔で複数の窪み部が形成されると共に、その窪み部の中央における平面部は上部プレートの底面と連結されると共に、組立式床の中央底面における複数の窪み部は連結部によって連結され、他の窪み部は平面部によって上部プレートと連結され、更に、下部プレートに、その中央における窪み部から下部プレートの四つ角へ向かって伸びるようにリブが設けられることにより、組立式床の構造強度を向上することができる。
【考案を実施するための最良の形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００９】
図１は本考案に係る組立式床の第一実施例を示す斜視図であり、図２は本考案に係る組立式床の第一実施例を示す平面図であり、図３は本考案に係る組立式床の第一実施例を示す断面図であり、図４は本考案に係る組立式床の第一実施例を示す他の断面図であり、図５は本考案に係る組立式床の第一実施例を示す拡大断面図であり、図６は本考案に係る組立式床の第二実施例を示す斜視図であり、図７は本考案に係る組立式床の第二実施例を示す拡大断面図であり、図８は本考案に係る組立式床の第三実施例を示す斜視図である。
【００１０】
図１乃至図５に示すように、本考案に係る組立式床（１０）第一実施例は平面状の上部プレート（１１）及び下部プレート（１２）からなり、下部プレート（１２）の下部に矩形の底部フレーム（１３）が設けられると共に、底部フレーム（１３）の外周縁（１４）に波状部が設けられることにより、組立式床（１０）の構造強度を向上する。
【００１１】
下部プレート（１２）の底面に所定の間隔で複数の窪み部（２０）が形成され、その四辺の中央における二つの窪み部（２０）の中央に平面部（２２）が設けられると共に、該平面部（２２）は上部プレート（１１）の底面と溶接によって連結され、又、組立式床（１０）の中央底面における四つの窪み部（２０）は連結部（２１）によって上部プレート（１１）に連結されると共に、他の窪み部（２０）は平面部（２２）によって上部プレート（１１）と連結され、更に、下部プレート（１２）に、その中央における窪み部（２０）から下部プレート（１２）の四つ角へ向かって伸びるようにリブ（２３）が設けられる。
【００１２】
本考案に係る組立式床によれば、組立式床（１０）の上面に重量を受ける場合、その重さは中央における窪み部（２０）から連結部を介して四方へ拡散されると共に、リブ（２３）によって吸収されることにより、組立式床（１０）の支持強度を向上する。
【００１３】
更に、図６乃至図７に示すように、本考案に係る組立式の第二実施例は第一実施例と殆ど等しく、異なるのは、上部プレート（１１）と下部プレート（１２）の窪み部（２０）との結合方式は固定部材（符号なし）によって連結することである。
【００１４】
図８に示すように、本考案に係る組立式床の第三実施例は第一実施例と殆ど等しく、異なるのは、底部フレーム（１３）の外周縁（１４）は平面状である。
【産業上の利用可能性】
【００１５】
　本考案は、窪み部の特別な形状及び排列方式にすることにより支持効果を向上する組立式床に適している。
【図面の簡単な説明】
【００１６】
【図１】本考案に係る組立式床の第一実施例を示す斜視図である。
【図２】本考案に係る組立式床の第一実施例を示す平面図である。
【図３】本考案に係る組立式床の第一実施例を示す断面図である。
【図４】本考案に係る組立式床の第一実施例を示す他の断面図である。
【図５】本考案に係る組立式床の第一実施例を示す拡大断面図である。
【図６】本考案に係る組立式床の第二実施例を示す斜視図である。
【図７】本考案に係る組立式床の第二実施例を示す拡大断面図である。
【図８】本考案に係る組立式床の第三実施例を示す斜視図である。
【図９】従来の組立式床の斜視図である。
【符号の説明】
【００１７】
１０　　　　組立式床
１１　　　　上部プレート
１２　　　　下部プレート
１３　　　　底部フレーム
１４　　　　外周縁
２０　　　　窪み部
２１　　　　連結部
２２　　　　平面部
２３　　　　リブ
４０　　　　下部プレート
４１　　　　底面
４２　　　　窪み部
【図１】
0003099424.tif 000003
【図２】
0003099424.tif 000004
【図３】
0003099424.tif 000005
【図４】
0003099424.tif 000006
【図５】
0003099424.tif 000007
【図６】
0003099424.tif 000008
【図７】
0003099424.tif 000009
【図８】
0003099424.tif 000010
【図９】
0003099424.tif 000011